(57)【特許請求の範囲】
【請求項１】
物品の第１位置に配される操作部の操作により、紐類を介して物品の第２位置の位置を変更させる紐端固着部位変更具であって、
前記操作部は、相対する側縁部に沿ってそれぞれに固着され、互いに噛合又は離脱する多数のエレメントからなるエレメント列を有する２枚のテープと、
前記各エレメント列が挿通され、摺動操作により各エレメントの噛合又は離脱を行う第１及び第２のスライダーと、
第１及び第２のスライダーを連結する連結部材とを備えてなり、
前記第１スライダー、第２スライダー及び連結部材のいずれかが、前記紐類を取り付ける紐端取付部を有してなり、
前記紐類の一端部は前記紐端取付部に取り付けられ、前記紐類の他端部は物品の前記第２位置に取り付けられてなり、
前記第１及び第２のスライダーは、それぞれが上下板部と、上下板部間にエレメント案内通路を形成するとともに上下板部間を連結する柱部と、各上板部の上面に設けられる連結部材装着部とを有し、互いの柱部を対向させて前記連結部材を介して連結されてなり、
前記連結部材は、前記第１及び第２のスライダーを上方から被覆するカバー体と、前記カバー体に取り付けられ、前記第１のスライダーの連結部材装着部と前記第２のスライダーの連結部材装着部とを連結する連結体とからなる、
ことを特徴とする物品の紐端固着部位変更具。
【請求項２】
前記第１スライダーは、摺動停止時には隣接する上記エレメントの間の間隙に弾性的に侵入してスライダーの摺動を停止させ、前記連結部材による摺動操作に連動してエレメントの間の間隙から弾性的な付勢に抗して離脱しスライダーの摺動を可能にする停止爪部材を有してなる請求の範囲第１項記載の紐端固着部位変更具。
【請求項３】
前記連結部材と第１及び／又は第２のスライダーとが係脱可能に構成されてなる請求の範囲第１項記載の紐端固着部位変更具。
【請求項４】
前記連結部材が、連結部と引手部とを有してなる請求の範囲第３項記載の紐端固着部位変更具。
【請求項５】
前記連結体が、前記カバー体に揺動可能に軸支されてなる請求の範囲第１項記載の紐端固着部位変更具。
【請求項６】
前記紐端取付部は、前記第１のスライダーと前記第２のスライダーとの間に形成した間隙に挿入されてなる請求の範囲第１項記載の紐端固着部位変更具。
【請求項７】
前記紐端取付部は、前記カバー体の上壁から前記間隙に挿入されてなる請求の範囲第６項記載の紐端固着部位変更具。
【発明の詳細な説明】
【技術分野】
【０００１】
本発明は、例えば各種の被服類や靴等の装身具、各種テント、カーテン類、或いはサスペンダー等に適用される物品の紐端固着部位変更具に関する。
【背景技術】
【０００２】
雨の降る中を歩くときや農作業をするときなどに、ズボンの裾を手繰り上げることが多い。また、暑い日などにはワイシャツや上着の袖を手繰り上げる。しかしながら、単に手繰り上げるだけでは、その手繰り上げた状態を維持することは難しい。そこで、例えば裾口や袖口に短尺テープの一端を縫着し、裾や袖の手繰り上げる位置にスナップ釦の雄又は雌部材を取り付けておき、裾又は袖を手繰り上げるとき前記テープの自由端に取り付けたスナップ釦の雌又は雄部材を裾や袖に取り付けられた前記スナップ釦の雄又は雌部材に係合させて手繰り上げた状態を維持させることが古くから行われている。しかし、こうしたスナップ釦を使う場合には、スナップ釦の取付位置が決まっているため、必然的に裾や袖の手繰り上げる位置も固定されてしまい、その位置を調整することが難しい。【０００３】
こうした不具合は、例えばＷＯ  ０３／０８２０４１  Ａ２（特許文献１）に開示されたスライダーを操作することにより多様な態様で紐端固着部位を調整できる紐端固着部位調整具によって解消できる。その基本的な構成は、上板部と下板部との中央部を柱部によって所要の間隙をもたせて連結したスライダーと、相対する側縁に沿って所定のピッチで取り付けられた係脱可能な多数のエレメントからなるエレメント列を前記間隙に挿通した一対の長尺テープとを備えている。前記スライダーは、一般のスライドファスナー用スライダーにおける後口を紐端固着部位方向の前後に形成するとともに、同じくスライドファスナー用スライダーの肩口を突き合わせた状態で一体化した構造を有している。更に、その下板部の下面には帽子の被着縁部の紐端固着位置変更部、バッグのベルト位置変更部、手袋の甲幅の変更部、靴の緊締紐の固着部位変更部などに一端を固着した紐類の他端を固着するための紐類取付部が取り付けられている。前記エレメント付きテープは、一般のスライドファスナーにおけるストリンガーに相当する。【０００４】
この紐端固着部位変更具のエレメント付きテープを、前述のような各種物品の一部の紐端固着部位を移動変更するための変更操作部に縫製などにより取り付け、スライダーをエレメント列に沿って摺動させてスライダー位置を変更することにより、スライダーに取り付けられた紐類の他端位置を変更して、同紐類の一端が固着されている物品の第２位置である紐端固着部位を移動変更させる。このスライダーの摺動によっても、一般のスライドファスナーと異なり、スライダーが紐端固着部位方向の両端部を後口に形成してあるため、同スライダーの前後のファスナーエレメント列は常に係合状態にある。
【特許文献１】ＷＯ  ０３／０８２０４１  Ａ２
【発明の開示】
【発明が解決しようとする課題】
【０００５】
上述のように、特許文献１に記載された物品の紐端固着部位変更具によれば、エレメント付きテープのエレメント列に沿って単一のスライダーを摺動操作することによって、物品の第２位置となる紐端固着部位を所望の位置へと変更させることが開示されている。また、この特許文献１には、２つのスライダーを用いることも可能であると記載されてはいるものの、その具体的な構成は開示されておらず、事実上の実施では単一のスライダーにより物品の紐端固着部位を変更させると考えられる。しかしながら、このような単一のスライダーは、その形状や構成が複雑となり、スライダーの作製に手間や時間がかかるという問題があった。【０００６】
またいずれにしても、特許文献１のスライダーの下板部に設けられた紐端固着部に一端を取り付けた紐類は、通常、物品の内面に配される。紐類を物品の内面に露呈した状態におくと、物品の着用者や使用者の身体の一部を同紐類に引っ掛けやすく、物品に損傷を与えたり、最悪の場合には転倒しかねない。【０００７】
そこで、同特許文献１にも記載されているように、物品の内面に配される紐類が邪魔にならないように、トンネル状の紐類案内布に紐類を挿通して、紐類案内布により被覆して紐類の邪魔な動きを抑えている。しかしこの場合、例えば紐類がスライダーから外れたり、或いは途中で切断したりすると、紐類の端部をスライダーの紐端取付部に取り付けしなおしたり、紐類を交換しなければならなくなる。このとき、スライダーの下面もまた前記トンネル状の紐類案内布の内部にあり、しかもスライダーが上述のように前後端部を一般のスライドファスナー用スライダーの後口と同様の構造を有していることにより、スライダー前後のエレメント列は係合状態にあって常に閉塞されているため、この状態では紐端の取り付けや交換は不可能である。【０００８】
本発明は、かかる従来の課題を解決すべくなされたものであり、その具体的な目的は、形状や構成が複雑なスライダーを用いなくても紐端固着部位を移動することができ、また、物品の紐端固着部位の位置を変更した後は、改めてその位置を変更しないかぎりその紐端固着部位が維持され、更に、紐類が万が一にスライダーから外れたり、切断したときでも簡単に紐類の取り付け直しや交換を行うことが可能な物品の紐端固着部位変更具を提供することにある。
【課題を解決するための手段】
【０００９】
前記目的を達成するために、本発明により提供される物品の紐端固着部位変更具は、物品の第１位置に配される操作部の操作により、紐類を介して物品の第２位置の位置を変更させる紐端固着部位変更具であって、前記操作部は、相対する側縁部に沿ってそれぞれに固着され、互いに噛合又は離脱する多数のエレメントからなるエレメント列を有する２枚のテープと、前記各エレメント列が挿通され、摺動操作により各エレメントの噛合又は離脱を行う第１及び第２のスライダーと、第１及び第２のスライダーを連結する連結部材とを備えてなり、前記第１スライダー、第２スライダー及び連結部材のいずれかが、前記紐類を取り付ける紐端取付部を有してなり、前記紐類の一端部は前記紐端取付部に取り付けられ、前記紐類の他端部は物品の前記第２位置に取り付けられてなり、前記第１及び第２のスライダーは、それぞれが上下板部と、上下板部間にエレメント案内通路を形成するとともに上下板部間を連結する柱部と、各上板部の上面に設けられる連結部材装着部とを有し、互いの柱部を対向させて前記連結部材を介して連結されてなり、
前記連結部材は、前記第１及び第２のスライダーを上方から被覆するカバー体と、前記カバー体に取り付けられ、前記第１のスライダーの連結部材装着部と前記第２のスライダーの連結部材装着部とを連結する連結体とからなることを特徴とする。
【００１０】
本発明に係る紐端固着部位変更具において、前記第１スライダーは、摺動停止時には隣接する前記エレメントの間の間隙に弾性的に侵入してスライダーの摺動を停止させ、前記連結部材による摺動操作に連動してエレメントの間の間隙から弾性的な付勢に抗して離脱しスライダーの摺動を可能にする停止爪部材を有していることが好ましい。【００１１】
好ましい態様によれば、前記連結部材と第１及び／又は第２のスライダーとが係脱可能に構成される。また、前記連結部材が連結部と引手部とを有することもできる。【００１２】
また本発明において、前記連結体が、前記カバー体に揺動可能に軸支されていることが好ましい。更に、前記紐端取付部は、前記第１のスライダーと前記第２のスライダーとの間に形成した間隙に挿入されていることが好ましく、特に、前記カバー体の上壁から前記間隙に挿入されていることがより好ましい。
【発明の効果】
【００１３】
本発明の紐端固着部位変更具は、基本的な構成として、上述のとおり従来のスライドファスナーにおけるファスナーストリンガーに相当する２本のエレメント付きテープと、その各エレメント列が挿通される異なる構造をもつ２つの第１及び第２スライダーと、第１及び第２のスライダーを連結する連結部材とを備えている。すなわち、本発明は、前記特許文献１のような複雑な形状を有する単一のスライダーを用いるのではなく、２種類のスライダーを連結して用いる紐端固着部位変更具であり、これらの２種類のスライダーは、一般のスライドファスナー用スライダーを転用することが可能である。【００１４】
すなわち、２種類のスライダーの共通する構成は、左右にフランジを有する上下板部の摺動方向一端部を柱部により連結し、その内部にＹ字状のエレメント通過路を形成している。通常は、前記上板部の上面に引手取付柱が設けられているが、スライダーを上下両面で操作可能とするため、上板部の上面及び下板部の下面にそれぞれ引手取付柱を設けているスライダーもある。【００１５】
従って、本発明にあっては、紐類の端部取付部を設けたスライダーを殊更に製造しなくとも、例えば従来から知られている下板部に引手取付柱をもたない通常のスライダーと、下板部にも引手取付柱を設けた上下両面で摺動操作を可能にしたスライダーとを組み合わせて使うことができる。この場合には、下板部に設けられた引手取付柱に前記紐類の端部を取り付けるようにすればよい。【００１６】
更に、本発明にあってはスライダーから引手取付柱を排除することもできる。この場合は、前記連結部材を第１及び第２スライダーの上板部に直接取り付けるようにする。また、下板部に設けられた引手取付柱を排除することもでき、この場合は、例えば第１及び第２スライダーを連結する連結部材に前記紐類の端部を取り付けるようにすれば良い。したがって、本発明にあって前記引手取付柱は必ずしも必須の構成ではない。【００１７】
こうして準備される第１及び第２スライダーを、その柱部側の端部を向かい合わせに配して、両者を連結部材により連結する。連結部材により連結された第１及び第２スライダーが、エレメント付きテープに挿通されて本発明に係る物品の紐端固着部位変更具となる。このように２種類のスライダーの柱部側の端部を向かい合わせに配したことにより、一方のスライダーにより分離されたエレメント列は他方のスライダーにより必ず噛合させることができる。また、連結部材が２つのスライダー間の間隔を離れ過ぎないように所定の距離に保つことができ、エレメント列を両スライダー内に円滑に案内することができる。【００１８】
また、本発明の紐端固着部位変更具に取り付けられた紐類の自由端を物品の第２位置に固定するとともに、エレメント付きの一対のテープを、物品の第１位置である紐端固着部位の変更操作部に形成されている開口部に沿って、縫製などにより固定する。この状態で、連結部材を介してスライダーをエレメント列に沿って摺動させ、紐類を引っ張り上げる。これにより、物品の第２位置である紐端固着部位を所望の位置へと移動させることができる。また、スライダーを元の位置へと戻すことにより、前記紐端固着部位を本来の位置（元の状態）へと移動させることができる。このとき、変更操作部は、任意の位置に設けることができるため、例えば紐端固着部位が離れていても、変更操作部を操作し易い位置に設けることにより、スライダーを容易に摺動して紐端固着部位を移動させることができる。【００１９】
また、本発明の紐端固着部位変更具は、前記のような操作を行っているときに、何らかの原因で連結部材を含むスライダーの一部に取り付けられた紐類の固定が外れることや、或いは同紐類が切断してしまうことがある。このような場合でも、本発明では連結部材を介して第１及び第２スライダーの間に間隙があるため、前記紐類の状態を垣間見ることができ、かぎ針などを使えばトンネル状の案内布を取り外すことなく、同紐類の端部をスライダーの紐類取付部に取り付けることが可能であり、或いは新しい紐類と交換することができる。【００２０】
本発明にあって、第１スライダーには、先端停止爪を有する停止爪部材が設けられている。この停止爪部材の先端停止爪は、スライダーの摺動停止時に第１スライダーの上板部に形成された停止爪侵入孔を介してエレメントの間の間隙に弾性的に侵入して係着している。また、停止爪部材は、連結部材を介してスライダーの摺動操作を行うと、その摺動操作に連動した連結部材の引き上げ動作により、エレメント間の間隙から先端停止爪が弾性的な付勢に抗して離脱して、スライダーの摺動を可能にする。ここでスライダーの摺動操作を停止させ、連結部材の引き上げ動作が解除されると、先端停止爪が弾力により隣接するエレメント間の間隙に侵入して係着するため、スライダーの摺動を不能にする。こうした動きをする停止爪部材を第１スライダーに設けておけば、スライダーを摺動させることにより、物品の紐端固着部位を任意に移動させることができる。また、スライダーを停止させたときには、その停止位置でスライダーの摺動が不能となるため、紐端固着部位を移動させた後の位置で紐端固着部位を確実に維持することができる。【００２１】
また、前記連結部材を、第１スライダー及び第２スライダーから、或いは第１及び第２スライダーのいずれかから取り外すことが可能な場合には、紐類の取付け又は交換作業が更に容易となる。また、前記連結部材に更に引手部を設けることにより、連結部の形状如何に関わらずスライダーの摺動操作がしやすくなる。【００２２】
また本発明では、前記連結部材が、前記第１及び第２のスライダーを上方から被覆するカバー体と、前記カバー体に取り付けられ、前記第１のスライダーの連結部材装着部と前記第２のスライダーの連結部材装着部とを連結する連結体とからなることも可能である。カバー体により第１及び第２のスライダーや連結体が被覆されることにより、紐端固着部位変更具の外観を美しく仕上げることができる。また、スライダーの摺動は、カバー体を把持して移動させることにより簡単に行うことができる。【００２３】
この場合、前記連結体がカバー体に揺動可能に軸支されていることにより、カバー体を移動させた際に、カバー体の移動と連動して連結体を上下方向に揺動させることができる。更にこのような連結体の揺動により、停止爪部材の先端停止爪をエレメント間の間隙から容易に離脱させることができる。【００２４】
また、前記紐端取付部が、前記第１及び第２のスライダー間に形成した間隙に、好ましくは前記カバー体の上壁から、挿入されていることにより、カバー体と紐類とを一体に連結することができる。このため、カバー体を操作して移動させることにより、紐類を引っ張って紐端固着部位を確実に移動させることができる。
【図面の簡単な説明】
【００２５】
【図１】図１は、本発明の実施例１に係る紐端固着部位変更具の要部を上面側から見た斜視図である。
【図２】図２は、同要部を下面側から見た斜視図である。
【図３】図３は、紐端固着部位変更具の一部を切開して示す側面図である。
【図４】図４は、紐端固着部位変更具における第１スライダーに備えられた停止爪機構によるエレメント係合時の状態を示す縦断面図である。
【図５】図５は、エレメントとの係合が外れた状態を示す縦断面図である。
【図６】図６は、第２スライダーの変形例を示す断面図である。
【図７】図７は、第２スライダーの更なる変形例を示す側面図である。
【図８】図８は、本発明の実施例２に係る紐端固着部位変更具の連結部材を下から見た斜視図である。
【図９】図９は、同連結部材を装着した紐端固着部位変更具の縦断面図である。
【図１０】図１０は、本発明の実施例３に係る紐端固着部位変更具の連結部材を下から見た斜視図である。
【図１１】図１１は、同連結部材を装着した紐端固着部位変更具の縦断面図である。
【図１２】図１２は、本発明の実施例４に係る紐端固着部位変更具の分解斜視図である。
【図１３】図１３は、同紐端固着部位変更具の側面断面図である。
【図１４】図１４は、同紐端固着部位変更具の平面断面図である。
【図１５】図１５は、同紐端固着部位変更具のファスナーエレメント列上における配置図である。
【図１６】図１６は、同紐端固着部位変更具の作動を示す側面断面図である。
【図１７】図１７は、同紐端固着部位変更具の斜視図である。
【図１８】図１８は、同紐端固着部位変更具の変形例を示す要部の断面図である。
【図１９】図１９は、本発明の実施例５に係る紐端固着部位変更具の側面断面図である。
【図２０】図２０は、同紐端固着部位変更具の平面断面図である。
【図２１】図２１は、同紐端固着部位変更具の作動を示す側面断面図である。
【図２２】図２２は、本発明の実施例６に係る紐端固着部位変更具の平面断面図である。
【図２３】図２３は、本発明の実施例７に係る紐端固着部位変更具の分解側面断面図である。
【図２４】図２４は、同紐端固着部位変更具の正面断面図である。
【図２５】図２５は、本発明の実施例８に係る紐端固着部位変更具の平面図である。
【図２６】図２６は、実施例１に係る紐端固着部位変更具を適用した定常のスポーツシャツ類を一部切開して立体的に示す正面図である。
【図２７】図２７は、同スポーツシャツ類の背部の背中を手繰り上げた状態を一部切開して立体的に示す正面図である。
【図２８】図２８は、本発明の実施例１に係る紐端固着部位変更具を使ってブラウスの腹部を絞っていないときの状態を立体的に示す正面図である。
【図２９】図２９は、同ブラウスの腹部を絞った状態を立体的に示す正面図である。
【図３０】図３０は、本発明の実施例３に係る紐端固着部位変更具を適用した野営テントの窓部閉鎖時における全体斜視図である。
【図３１】図３１は、同紐端固着部位変更具により窓部を開放したときの野営テントの全体斜視図である。
【図３２】図３２は、前記窓部に適用される開閉シートと紐類との取付状態を拡大して示す要部斜視図である。
【図３３】図３３は、同紐類による開閉シートの手繰上げ状態を拡大して示す要部斜視図である。
【図３４】図３４は、本発明の紐類が適用された上着類の側面図である。
【図３５】図３５は、同紐類により袖部の袖口部を絞った状態を示す側面図である。
【符号の説明】
【００２６】
１０                                紐端固着部位変更具
１                                  テープ
２                                  スライダー
２０                                操作部
２１ａ，２１ｂ                      第１及び第２スライダー
２２ａ，２２ｂ；２３ａ，２３ｂ      第１及び第２の上下板部
２２ａ−１                          エレメント係止窓（先端停止爪侵入孔）
２６ａ，２６ｂ                      連結部材取付柱
２７                                連結部材
２８                                紐類取付部
２９                                停止爪部材
２９ｃ−１                          先端停止爪
３                                  紐類
４                                  圧縮スプリング
５                                  ピン（水平支軸）
１００                              スポーツシャツ類
１１０                              ブラウス
１２０                              野営テント
１２１                              テント本体
１５２，１５３                      上下板部
１５２ｂ                            停止爪侵入孔
１５５                              柱部
１５７                              カバー体
１５７ｅ                            停止爪
１６１                              スライダー本体
１６２，１６３                      上下板部
１６５                              連結部材取付柱
１６６                              紐類取付部
１６７                              摺動片
１７１                              トンネル状本体
１７１ａ                            係着突起
１７５ａ                            紐類挿通孔
１８１                              矩形状板部
１８２                              矩形片
１８３，１８４                      第１及び第２棒状連結片
２０３                              カバー体
２０４                              連結体
２０６                              ピン
２０８                              ピン孔
２１０                              紐類取付柱
２２０                              ピン挿通部
２２１                              ピン孔
２２２                              挿通孔
２２３                              中間杆
２２４                              係止部
２２６                              本体部
２３１                              挿通孔
２３２                              挿入孔
２３４                              紐類取付部
２３６                              停止爪部材
２３７                              先端停止爪
２３８                              エレメント係止窓（先端停止爪侵入孔）
２３９ａ，２３９ｂ                  バネ取付柱
２４８                              ピン支持部
２４９                              ピン孔
２５３                              腕部
２５５                              間隙
２５８                              紐類取付部
２６０ａ，２６０ｂ                  取付柱部
２６１，２６２                      連結部材取付部
Ｔ                                  エレメント付きテープ
Ｅ                                  エレメント
ＥＲ                                エレメント列
Ｔ１                                ファスナーストリンガー
【発明を実施するための最良の形態】
【００２７】
以下、本発明の好適な実施形態を代表的な実施例に基づいて図面を参照しつつ具体的に説明する。なお、本発明は、以下に説明する実施例に限定されるものではなく、本発明と実質的に同一な構成を有し、かつ、同様な作用効果を奏しさえすれば、多様な変更が可能である。
【実施例１】
【００２８】
図１〜図５は本発明の実施例１を示している。図１は、本実施例１の紐端固着部位変更具の要部を表面側から見た斜視図である。図２は、同紐端固着部位変更具を裏面側から見た斜視図である。図３は、同紐端固着部位変更具のスライダーの一部を断面で示す側面図である。【００２９】
これらの図から理解できるとおり、本実施例１による紐端固着部位変更具１０の操作部２０は物品の第１位置に配される。同操作部２０は、２枚の長尺なテープ１の各相対する側縁部に沿って互いに噛合・離脱する多数のエレメントＥからなるエレメント列ＥＲをそれぞれに固設したエレメント付きテープＴと、前記エレメント列ＥＲが挿通され、摺動操作により各エレメントＥの噛合・離脱を行うスライダー２を構成する第１及び第２スライダー２１ａ，２１ｂと、同第１及び第２スライダー２１ａ，２１ｂを連結する連結部材２７を備えている。【００３０】
本実施例１にあって前記エレメント列ＥＲは、ポリエステル、ポリプロピレン、ナイロンなどの熱可塑性樹脂からなる１本の線条（モノフィラメント）を螺旋状に成形することにより得られる。各エレメントＥは、相手方のエレメントＥと互いに噛合・離脱する噛合頭部と、同噛合頭部から延設され前記テープ１の側縁部に直交させて縫着などにより固着される上下の固着脚部と、反転して隣接する上部の固着脚部と連結される反転部とを有している。【００３１】
なお、この実施例では前記エレメントＥが連続して作られているが、同エレメントＥはそれぞれ単独であってもよく、その材質も熱可塑性合成樹脂に限らず金属であってもよい。この場合、合成樹脂製であれば射出成形によりテープ１に直接エレメントＥを成形一体化し、或いは金属製であれば例えばＹ字状断面をもつエレメントＥの脚部によりテープ１の側縁部を挟持するように同脚部を加締めて固着する。こうして得られるエレメント付きテープＴは、通常のスライドファスナーにおけるファスナーストリンガーと同一構造である。【００３２】
前記第１及び第２スライダー２１ａ，２１ｂは、それぞれが第１及び第２の上下板部２２ａ，２３ａ；２２ｂ，２３ｂと、各上下板部２２ａ，２３ａ；２２ｂ，２３ｂの間にＹ字状のエレメント案内通路２４ａ，２４ｂを形成するとともに各上下板部２２ａ，２３ａ；２２ｂ，２３ｂの一端部の間を連結する第１及び第２柱部２５ａ，２５ｂと、前記第１及び第２の各上板部２２ａ，２２ｂの上面に各スライダー２１ａ，２１ｂの摺動方向に長く延びる門型状に起立する第１及び第２の連結部材取付柱２６ａ，２６ｂとを有している。この連結部材取付柱２６ａ，２６ｂが、連結部材装着部となる。ここまでの各スライダー２１ａ，２１ｂの構成は、通常のスライドファスナーにおけるスライダーの構成と一致する。【００３３】
ここで、本実施例１における第１及び第２スライダー２１ａ，２１ｂは、その第１及び第２の上下板部２２ａ，２３ａ；２２ｂ，２３ｂを上下に連結する第１及び第２柱部２５ａ，２５ｂ側の端部同士を対向させて前記エレメント付きテープＴのエレメント列ＥＲに挿通させている。これらの構成も、それだけであれば従来の通常の２個のスライダーを挿通させているスライドファスナーと変わるところはない。【００３４】
しかるに、本実施例１では前述のようにして第１及び第２の上板部２２ａ，２２ｂの各連結部材取付柱２６ａ，２６ｂ同士を単一の連結部材２７によって連結するとともに、前記第２スライダー２１ｂの下板部２３ｂの下面に、紐類３の一端部３１を取り付けるための紐類取付部２８が設けられている。この点において、本実施例１は、従来の一般的なスライドファスナーと異なっていることが理解できよう。しかしながら、従来もスライダーの上下板部の上面及び下面にそれぞれ引手取付柱を設けて、上下両面側でスライダーを摺動操作できる独特の構造をもつスライダーが存在し製造されてきている。【００３５】
従って、本実施例１の紐端固着部位変更具における前記第１及び第２スライダー２１ａ，２１ｂに、従来から製造されているスライドファスナー用スライダーを転用することができるため、殊更に紐端固着部位変更具のためのスライダーを製造する必要はない。このような構成を備えた本実施例１による物品の紐端固着部位変更具１０は、例えば後述する被服類の手の届きやすい第１位置に取着するとともに、前記紐類３の他端部３２を、被服類の裾部など、部位を変更することが多い紐端固着部位の箇所に取り付ける。これにより、例えば裾位置を任意の場所へと移動変更することが可能となる。【００３６】
前記連結部材２７は、前記第１及び第２スライダー２１ａ，２１ｂの各連結部材取付柱２６ａ，２６ｂを連結する連結部２７ａと、同連結部２７ａに取り付けられる引手部２７ｂとを有している。前記連結部２７ａは、図１及び図３に示すように側面から見てスライダーの摺動方向の前後端部が水平に延び、その端部間で中央に向かって山なりに上傾斜した、上面視でθ状のリング体からなる。また、連結部２７ａの前後端部に形成される第１及び第２小リング部に、前記第１及び第２スライダー２１ａ，２１ｂの各連結部材取付柱２６ａ，２６ｂの対向端部が挿入されている。従って、前記連結部材２７により、各連結部材取付柱２６ａ，２６ｂ同士が所定の間隔以上には離間不能に連結される。【００３７】
前記引手部２７ｂは、同じく図１及び図３に示すように、前記連結部２７ａの前記第１及び第２小リング部を画成する画成杆２７ａ−１を挿通する円筒杆２７ｂ−１に平板部２７ｂ−２を介して接続一体化された引きテープ取付環２７ｂ−３から構成される。この引きテープ取付環２７ｂ−３には、短尺の引きテープ３５が、その一端を挿通して折返すことにより取り付けられている。【００３８】
前記第２スライダー２１ｂの下板部２３ｂの下面に取り付けられた紐類取付部２８は、図２及び図３に示すとおり、第２スライダー２１ｂの前記連結部材取付柱２６ｂと同様の形状を有し、同第２スライダー２１ｂの上下板部２２ｂ，２３ｂを挟んで鏡面対称に設けられている。この紐類取付部２８には上述の紐類３の一端部３１が結び付けられる。また同紐類３の他端部３２は、既述したとおり、被服類の裾部や袖部などの第２位置である紐端固着部位に取り付けられる。【００３９】
また本実施例１によれば、前記第１スライダー２１ａの一部に自動停止爪部材２９を設けている。この停止爪部材２９は、スライダー２の摺動操作時にはエレメントＥ間の間隙から抜け出してスライダー２の自由な摺動を許容するが、スライダー２の停止時にはその停止位置の近傍にあるエレメントＥ間の間隙に侵入して、それ以上のスライダー２の摺動を不能にする。この停止爪部材２９には、既述したとおり、例えば実公平４−３２９７４号公報に開示されているような公知の停止爪機構を採用することができる。ここで、第１スライダー２１ａに関して、その上下板部２２ａ，２３ａを連結する柱部２５ａが取り付けられる端部を前端部といい、その反対側の端部を後端部という。【００４０】
以下、前記停止爪機構を前記公報に開示された停止爪機構を参考にしながら図４及び図５に基づいて簡単に説明する。図示例による第１スライダー２１ａの前記連結部材取付柱２６ａは、上板部２２ａの前端部から立ち上がり、後端部に向けて下傾斜して門型状に設けられている。連結部材取付柱２６ａは左右側壁を有しており、その内部空間の前方側には停止爪部材２９が上下方向に回動自在に枢支されている。なお、この連結部材取付柱２６ａの形状は図示例に限定されない。【００４１】
図示例によれば、連結部材取付柱２６ａの左右側壁２６ｃの間に停止爪部材２９の基端部２９ａが差し込まれ、前記左右側壁２６ｃ形成された軸孔２６ｄと前記基端部２９ａに形成された孔部とにピン５が挿入されて停止爪部材２９を上下に回動自在に支持している。この停止爪部材２９は側面視で基端部２９ａから上下に分岐する腕部２９ｂ，２９ｃを有する略Ｙ字状を呈している。【００４２】
一方、前記上板部２２ａの略中央部位の左右いずれかに偏った位置には本発明の停止爪侵入孔であるエレメント係止窓２２ａ−１が上下に貫通して形成されている。このエレメント係止窓２２ａ−１を介して、前記停止爪部材２９の下方に分岐する下腕部２９ｃの先端停止爪２９ｃ−１がエレメント案内通路２４ａ内に突出し、そこに案内されているエレメント列ＥＲのエレメントＥ間の間隙に先端停止爪２９ｃ−１が侵入して係合する。【００４３】
また、前記停止爪部材２９の上下腕部２９ｂ，２９ｃの間には前記連結部材２７の連結部２７ａの一端部２７ａ−１が挿通されている。一方、前記第１スライダー２１ａの前記柱部２５ａには上板部２２ａの上面から下方に向けて延びる有底孔２２ａ−２が形成されており、その有底孔２２ａ−２には圧縮スプリング４が挿入されている。このスプリング４は、その上端が前記停止爪部材２９の基端部２９ａの下面に弾接し、スライダー２の停止時には同停止爪部材２９の前記先端停止爪２９ｃ−１を前記エレメント係止窓２２ａ−１を通してエレメント案内通路２４ａ内に突出するように付勢している。【００４４】
またスライダー２の摺動時に、連結部材２７に取り付けられた前記引きテープ３５を引き上げるようにして摘み上げて引っ張ると、その摘上げ力により前記連結部材２７の連結部２７ａが圧縮スプリング４の付勢に抗して上方に持ち上げられる。これにより、前記停止爪部材２９が基端部２９ａを中心に上方へと回動し、前記先端停止爪２９ｃ−１をエレメント案内通路２４ａから上方へと抜脱して、エレメント列ＥＲのエレメントＥ間の間隙に侵入している先端停止爪２９ｃ−１の係合を自動的に解除することができる。【００４５】
図６は、第２スライダー２１ｂの第１変形例を示している。前記実施例１において、第２スライダー２１ｂの連結部材取付柱２６ｂと紐類取付部２８とは、スライダー本体２１ｂ−１の摺動方向に長く延びる門型状に一体に成型されている。一方、この変形例ではスライダー本体２１ｂ−１の上板部２２ｂの略中央部から、スライダー本体２１ｂ−１の摺動方向に間隔をおいて起立する一対の支柱２６ｂ−１，２６ｂ−２と、下板部２３ｂの下面中央部に同様の形状の一対の支柱２８ａ，２８ｂとを、スライダー本体２１ｂ−１とともに一体に成型しておき、各一対の支柱２６ｂ−１，２６ｂ−２；２８ａ，２８ｂの先端部を加締めることによって、各連結部材取付柱２６ｂと紐類取付部２８とを形成している。かかる構成を採用することにより、連結部材取付柱２６ａ，２６ｂ及び紐類取付部２８の製作工程を省略することができるばかりでなく、大幅なコストダウンが可能となる。【００４６】
図７に示す第２スライダー２１ｂの第２変形例では、連結部材取付柱２６ｂの構成は前述の第１変形例と同じであるが、この第１変形例とは紐類取付部２８を上板部２２ｂの上面に前記連結部材取付柱２６ｂと並べて一体に形成している点で異なる。即ち、スライダー本体２１ｂ−１の上板部２２ｂの前端部側に連結部材取付柱２６ｂが立設され、後端部側に紐類取付部２８が立設されている。この紐類取付部２８には、紐類挿通孔２８ｃが設けられており、紐類３を挿通させ、折り返して固定している。
【実施例２】
【００４７】
図８及び図９は、本発明の実施例２を示している。図８は、本発明の実施例２に係る物品の紐端固着部位変更具における連結部材２７を斜め下から見た斜視図である。図９は、同連結部材２７により第１及び第２スライダー２１ａ，２１ｂを連結した物品の紐端固着部位変更具の縦断面図である。【００４８】
本実施例２における連結部材２７は、図８に示すように、紐端固着部位方向（スライダーの摺動方向）に延びる断面逆Ｕ字形のトンネル状本体１７１と、その幅方向の各側縁に沿って水平に延在し、左右のフランジ部１７２，１７３と、前記トンネル状本体１７１及び左右のフランジ部１７２，１７３の紐端固着部位方向の中央から上下方向に向けて延出し、所定の幅を有する板片１７４，１７５とからなる縦断面方向に長い単体で構成されている。【００４９】
前記トンネル状本体１７１の長手方向の両端部の開放側下端部には、同トンネル状本体１７１の内壁面から互いに接近する方向に水平に突出する左右一対の半円形断面の係止突起１７１ａが突設されている。前記板片１７４，１７５は、前記トンネル状本体１７１及び左右のフランジ部１７２，１７３に直交して上下方向に延出する。この板片１７４，１７５の先端部寄りには、板幅方向に長い同一形状を有する引手挿通孔１７４ａと紐類挿通孔１７５ａとが形成されている。【００５０】
一方、本実施例２における第１スライダー２１ａ及び第２スライダー２１ｂには、図９に示すように、引手を持たない従来から広く知られたスライドファスナー用スライダーの本体を、格別の加工を行わずに採用している。本実施例２にあっても、第１スライダー２１ａには後述するように停止爪１５７ｅが設けられているが、この停止爪１５７ｅは従来の引手取付柱に相当するカバー体１５７の一部に一体に形成されている。また、本実施例２において、第２スライダー２１ｂの下板部２３ｂの下面には、前記実施例１のような紐類取付部は設けられてなく、上述のように連結部材２７のトンネル状本体１７１及び左右のフランジ部１７２，１７３に、紐類挿通孔１７５ａを有する板片１７５が形成されている。【００５１】
前記第１スライダー２１ａを具体的に説明すると、図９に示すように、柱部１５４により上板部１５２と下板部１５３が連結され、上板部１５２の柱部１５４側の端部上面に支柱１５５が突設されている。前記上板部１５２の上面には前記支柱１５５から反対側の端部までバネ嵌込み溝１５２ａが形成されており、柱部１５４の内部にはバネ嵌込み溝１５２ａの延長上にバネ固定孔１５５ａが形成されている。棒状バネ１５６は、バネ嵌込み溝１５２ａに嵌め込まれるとともに、その一端側の部位が前記バネ固定孔１５５ａに挿入固定され、他端側の部位が上板部１５２の支柱１５５とは反対側の端部を越えて外側に僅かに突出している。前記支柱１５５には、その左右側面にカバー体１５７の一端が回動自在に枢支され、同カバー体１５７の他端の鉤部１５７ｄを、上板部１５２の端部から外に突出している棒状バネ１５６の突出端１５６ａに係着させている。【００５２】
従って、カバー体１５７は支柱１５５を中心として棒状バネ１５６の弾性力の影響を受けながら上下に回動する。同カバー体１５７は、左右側壁部１５７ａと左右側壁部１５７ａの上端縁同士を連結する天板部１５７ｂとからなり、全体が細長く、断面が逆Ｕ字状を形成されている。また、左右側壁部１５７ａには、後述する連結部材２７の係止突起１７１ａが挿入可能な窓孔１５７ｆが形成されている。かかる形状を有するカバー体１５７の一端が前記支柱１５５に枢着される枢着部１５７ｃであり、反対側の端部には内側に屈曲する上記鉤部１５７ｄが形成されている。更に、左右側壁部１５７ａのうちの一方における鉤部１５７ｄが形成されている側の端部の一部に、前記実施例１の停止爪部材２９における先端停止爪２９ｃ−１に相当する停止爪１５７ｅが下方に突設されている。前記鉤部１５７ｄが形成されている側のカバー体１５７の端部は、上記棒状バネ１５６の弾性に抗して回動させない限り、常に水平を維持しており、前記停止爪１５７ｅも常には第１スライダー２１ａの上板部１５２に形成された停止爪侵入孔１５２ｂに侵入している。【００５３】
前記カバー体１５７は、前記連結部材２７を上方へ引き上げるように操作すると、前記支柱１５５を中心として上方へ大きく回動し、棒状バネ１５６はその先端が鉤部１５７ｄにより持ち上げられて弾性変形し、弓状に曲がる。このとき、停止爪１５７ｅがエレメント案内通路１５８内から抜け出た状態となり、停止爪１５７ｅとエレメントとの係合が解除される。また、連結部材２７の引き上げを解除すると、弓状に曲がっていた棒状バネ１５６は元の形状に弾性復帰し、その先端が鉤部１５７ｄを押して、カバー体１５７を支柱１５５を中心として自動的に下方へ回動させる。これにより、停止爪１５７ｅはエレメント案内通路１５８内に突入する状態となり、停止爪１５７ｅとエレメントとが係合する。【００５４】
一方、本実施例２による前記連結部材２７の左右一対の係止突起１７１ａは、上述のとおりトンネル状本体１７１の内壁面から互いに接近する方向に水平に突出しており、その円弧面間の最も狭い部分の間隔を、上記カバー体１５７の左右側壁部１５７ａの外側側面間の幅よりも小さく設定している。しかして、この連結部材２７のトンネル状本体１７１は、紐端固着部位方向の両端部と底面とが開放された断面逆Ｕ字状であるため、材質が金属であっても合成樹脂であっても、底部開放面は幅方向に弾性変形が可能である。【００５５】
従って、本実施例２による前記連結部材２７を、同じく第２実施例の上述の構成を備えた第１スライダー２１ａのカバー体１５７に組付けるときは、単に連結部材２７の前記左右の突起１７１ａによりカバー体１５７を挟むようにして連結部材２７を第１スライダー２１ａに強く押し付ける。これにより、トンネル状本体１７１が弾性的に変形して左右の突起１７１ａが離間し、更に突起１７１ａがカバー体１５７の窓孔１５７ｆに嵌まり込むことによって元の形状に弾性復帰して窓孔１５７ｆに引っ掛かるため、連結部材２７を簡単に組付けることができる。【００５６】
反対に、連結部材２７を第１スライダー２１ａから取り外したいときは、第１スライダー２１ａのカバー体１５７を押さえて連結部材２７を強く離すように上に動かせば、同じくトンネル状本体１７１が弾性的に変形して左右の突起１７１ａが離間し、連結部材２７を窓孔１５７ｆから抜脱して容易に取り外すことができる。この機能は、連結部材２７を第１スライダー２１ａから取り外し、或いは連結部材２７を第１スライダー２１ａに組付けることが可能であるため、例えば本実施例２の紐端固着部位変更具を使っている最中に、紐類３が紐類取付部である板片１７５の紐類挿通孔１７５ａから外れてしまった場合、或いは紐類３が途中で切れてしまった場合に、紐端固着部位の変更紐類３の端部を容易に板片１７５に付けなおすことができ、或いは新しい紐類と容易に交換することができる。
【実施例３】
【００５７】
図１０及び図１１は、本発明の実施例３に係る物品の紐端固着部位変更具を示している。この実施例３による連結部材２７は、矩形状板部１８１の裏面中央部に、その長辺部分と平行に２枚の細長い矩形片１８２が橇の滑刃のように一体化するとともに、その矩形片１８２を下面寄りで２本の第１及び第２の円棒状連結片１８３，１８４によって連結している。【００５８】
前記２枚の矩形片１８２の間では、前記第１棒状連結片１８３が、後述する本実施例３による第１スライダー２１ａの連結部材取付柱であるカバー体２６ａとスライダー本体２１ａ−１との間の空隙部に挿通されて、第１スライダー２１ａを支持する。一方の第２棒状連結片１８４は、第２スライダー２１ｂの連結部材取付柱１６５とスライダー本体１６１との間の間隙に挿通され、同第２スライダー２１ｂを支持する。【００５９】
本実施例３における第１スライダー２１ａは、前記実施例１における第１スライダー２１ａと全ての構成において実質的に変わるところがない。一方、本実施例３における第２スライダー２１ｂは、スライダー本体１６１の上下板部１６２，１６３を連結する柱部１６４に対応する上板部１６２の上面から湾曲して立ち上がり、スライダー摺動方向に延設された連結部材取付柱１６５と、前記下板部１６３の下面から湾曲して立ち上がり、前記連結部材取付柱１６５と同様にスライダー摺動方向に延設された紐類取付部１６６とを有している。また、前記上板部１６２の左右幅方向の中央部には、後端側に突起１６７ａを突出した短冊状の摺動片１６７を嵌着して案内する図示せぬ摺動溝がスライダー摺動方向に形成されており、その摺動溝の延長上に上板部１６２の途中から柱部１６４の中間部まで延びる摺動片挿入孔１６２ａが連設されている。【００６０】
この摺動片挿入孔１６２ａの奥部には圧縮スプリング１６８が挿入されており、圧縮スプリング１６８の自由端は前記摺動片１６７の柱部側端部に結合されている。従って、前記突起１６７ａを柱部１６４側に押すと、前記摺動片１６７は圧縮スプリング１６８の付勢に抗して前記摺動溝及び摺動片挿入孔１６２ａに案内されて柱部１６４の方向へと摺動し、同摺動片１６７の前記突起１６７ａと前記連結部材取付柱１６５の延設側端部との間に連結部材２７の第２棒状連結片１８４が通過できる隙間が形成される。突起１６７ａの押圧を解除すると、摺動片１６７は圧縮スプリング１６８の付勢により前記摺動溝及び摺動片挿入孔１６２ａに案内されて摺動し、前記突起１６７ａと前記連結部材取付柱１６５の延設側端部とが相対する位置まで戻り、第２棒状連結片１８４が突起１６７ａと前記連結部材取付柱１６５の延設側端部との間を抜け出ることができなくなる。【００６１】
以上のようにして、第１及び第２スライダー２１ａ，２１ｂを連結部材２７により連結するとともに、第２スライダー２１ｂの紐類取付部１６６に紐類３の一端を結び付けることにより、本発明の実施例３に係る物品の紐端固着部位変更具１０が組み立てられる。本実施例３の第１スライダー２１ａでは、圧縮スプリング４によって、既述したとおりスライダー２の停止時には前記停止爪部材２９の前記先端停止爪２９ｃ−１を前記エレメント係止窓２２ａ−１を通してエレメント案内通路２４ａ内に突出するように停止爪部材２９が付勢されている。また、スライダー２の摺動時に、連結部材２７を引き上げるようにして摘み上げて引っ張ると、その摘上げ力により上記連結部材２７の第１棒状連結片１８３が圧縮スプリング４の付勢に抗して上方に持ち上げられる。これにより、前記停止爪部材２９が基端部２９ａに挿入されたピン５を中心に上方へと回動し、前記先端停止爪２９ｃ−１をエレメント案内通路２４ａから上方へと抜脱して、エレメント列ＥＲのエレメントＥ間の間隙に侵入している先端停止爪２９ｃ−１の係合を自動的に解除することができる。【００６２】
いま、例えば何らかの理由で紐類３の結び目が解けて前記紐類取付部１６６から紐類３が外れてしまったときは、第２スライダー２１ｂの上記突起１６７ａを押し、摺動片１６７を圧縮スプリング１６８の付勢に抗して前記摺動溝及び摺動片挿入孔１６２ａの内部を柱部１６４の方向に摺動させる。これにより、前記突起１６７ａと前記連結部材取付柱１６５の延設側端部との間に間隙を形成し、同間隙から連結部材２７の第２棒状連結片１８４を抜き取る。この後、突起１６７ａの押圧を解除すると、摺動片１６７は元の位置まで戻り、前記間隙が小さくなる。【００６３】
このように第２棒状連結片１８４を抜き取ることにより、第２スライダー２１ｂはエレメント列ＥＲに沿って自由に摺動できるようになり、第１スライダー２１ａとの間にエレメントＥ同士が係合していない任意の紐端固着部位の開口部分が形成される。この開口部分から指を差し込み、外れた紐類３の一端を摘み上げて、第２スライダー２１ｂの紐類取付部１６６に固く結び付け、その後、再び摺動片１６７の突起１６７ａを押して柱部１６４の方向へと付勢に抗して摺動片１６７を摺動させて、前記突起１６７ａと前記連結部材取付柱１６５の延設側端部との間に間隙を形成し、この間隙から連結部材２７の第２棒状連結片１８４を差し入れる。次いで、突起１６７ａの押圧を解除すると、摺動片１６７は圧縮スプリング１６８の付勢により自動的に元の位置に戻り、第２棒状連結片１８４が前記連結部材取付柱１６５から外れないようになる。【００６４】
このように、本実施例３にあっても紐類３が連結部材取付柱１６５から外れたり、或いは紐類３が途中で切断しても、容易に付けなおしたり交換することが可能となる。
【実施例４】
【００６５】
図１２〜図１７は、本発明の実施例４に係る物品の紐端固着部位変更具を示している。図１２は、本実施例４に係る紐端固着部位変更具の分解斜視図である。図１３は、同紐端固着部位変更具の側面断面図であり、図１４は、同紐端固着部位変更具の平面断面図である。【００６６】
本実施例４における連結部材２７は、図１２に示すように、第１及び第２のスライダー２１ａ、２１ｂを上方から被覆するカバー体２０３と、第１のスライダー２１ａの連結部材装着部２６１と前記第２のスライダー２１ｂの連結部材装着部２６２とを連結する連結体２０４と、カバー体２０３に連結体２０４を取り付けるピン２０６とからなる。【００６７】
前記カバー体２０３は、上壁２１１と、上壁２１１の左右側縁から下方へ垂設した側壁２１２と、上壁２１１の第１のスライダー２１ａ側先端から下方へ垂設した前壁２１３と、上壁２１１の第２のスライダー２１ｂ側先端から下方へ垂設し、内面側に段差を有する後壁２１４と、上壁２１１の内面における前後方向（摺動方向）の中央から下方へ垂設した紐類取付柱２１０とを備えている。このカバー体２０３には、上壁２１１と、左右の側壁２１２と、前壁２１３と、後壁２１４とにより囲まれた収容部２１５が形成されている。【００６８】
また、左右の側壁２１２には、ピン２０６を差し込み可能なピン孔２０８が、前壁２１３側と後壁２１４側に形成されている。更に、紐類取付柱２１０の下端部寄りには、紐類３を挿通させて固定するための紐類挿通孔２１６が設けられている。このカバー体２０３は、指で摘んだときの肌触りを良くするためや、人体や他の物品と接触したときに傷を負わせることが無いようにするために、ポリエステル、ナイロンなどの合成樹脂や、ウレタンゴム、熱可塑性エラストマーなどの軟質材料で射出成形されている。【００６９】
前記連結体２０４は、細長い板状の本体部２２６と、ピン孔２２１を穿設したピン挿通部２２０とを有しており、ピン挿通部２２０のピン孔２２１とカバー体２０３の前壁２１３側のピン孔２０８との位置を合わせてピン２０６を差し込むことにより、カバー体２０３に揺動可能に軸支される。【００７０】
この連結体２０４の本体部２２６には、その内側に表裏方向に貫通する挿通孔２２２が前後方向に長く形成されており、ピン挿通部２２０と反対側の端部には係止部２２４が形成されている。挿通孔２２２は、図１４に示すように、第１のスライダー２１ａの取付カバー２４０を嵌入可能な狭幅部２２７と、カバー体２０３の紐類取付柱２１０が挿通する広幅部２２８と、第２のスライダー２１ｂの係止凸部２４７を嵌入可能な係止凹部２２５とを有する。【００７１】
挿通孔２２２に広幅部２２８を設けることにより、挿通孔２２２に挿通する紐類取付柱２１０を太くすることができ、紐類取付柱２１０の強度を高くし、折れ難くすることができる。また、挿通孔２２２の狭幅部２２７には、連結体２０４の幅方向に横断するように中間杆２２３が架橋されている。更に、係止部２２４側に凹状に形成された係止凹部２２５には、下記で説明する第２のスライダー２１ｂの係止凸部２４７を係止することができる。【００７２】
前記第１のスライダー２１ａは、上下板部２２ａ，２３ａと、各上下板部２２ａ，２３ａの間にＹ字状のエレメント案内通路２４ａを形成するとともに各上下板部２２ａ，２３ａの一端部の間を連結する第１柱部２５ａと、下板部２３ａの左右側縁から上方に向けて突設したフランジ２３０ａとを備え、また、停止爪部材２３６と板バネ２４１とが取り付けられている。【００７３】
上板部２２ａの上面には、その前端側と後端側とにバネ取付柱２３９ａ，２３９ｂが突設されており、これらのバネ取付柱２３９ａ，２３９ｂに板バネ２４１が載置されている。更に、バネ取付柱２３９ａ，２３９ｂ、板バネ２４１、及び、後述する停止爪部材２３６を上方から被覆するように取付カバー２４０がバネ取付柱２３９ａ，２３９ｂに固定されている。また、上板部２２ａには、後端側のバネ取付柱２３９ｂよりも前方に、停止爪部材２３６の先端停止爪２３７を挿入するエレメント係止窓（先端停止爪侵入孔）２３８が形成されている。一方、前端側のバネ取付柱２３９ａよりも後方には、凹部２４３が形成されており、この凹部２４３と後端側のバネ取付柱２３９ｂとの間には、斜面状のカム面２４２が形成されている。【００７４】
第１のスライダー２１ａに設けられる停止爪部材２３６は、略Ｇ字状の断面を有している。この停止爪部材２３６の一端には前記凹部２４３に挿入される凸部２４４が形成され、他端には先端停止爪２３７が形成されている。先端停止爪２３７は、エレメント係止窓２３８に挿入されてエレメント案内通路２４ａ内に突設し、エレメント列ＥＲのエレメント間の間隙に侵入して係合する。【００７５】
前記第２のスライダー２１ｂは、上下板部２２ｂ，２３ｂと、各上下板部２２ｂ，２３ｂの間にＹ字状のエレメント案内通路２４ｂを形成するとともに各上下板部２２ｂ，２３ｂの一端部の間を連結する第２柱部２５ｂと、下板部２３ｂの左右側縁から上方に向けて突設したフランジ２３０ｂとを有している。また、上板部２２ｂの上面には、前端側に係止凸部２４７を立設し、後方側にピン２０６が挿通可能なピン孔２４９を備えたピン支持部２４８を立設している。【００７６】
なお、本実施例４において、第１及び第２のスライダー２１ａ、２１ｂと、前記連結体２０４とは、亜鉛合金またはアルミニウム合金などの金属をダイカスト成形手段により成形されている。一方、停止爪部材２３６及び取付カバー２４０は、スチール板などをプレス加工することによって形成されている。【００７７】
本実施例４の紐端固着部位変更具１０は、前記各部材が以下のようにして組み立てられている。具体的に説明すると、前記第１のスライダー２１ａのカム面２４２に、連結体２０４の中間杆２２３が配され、その上に停止爪部材２３６が中間杆２２３を跨ぐように載置されている。即ち、連結体２０４の中間杆２２３は、図１３に示すように、停止爪部材２３６の下面と、第１のスライダー２１ａの上板部２２ａの上面との間に配されている。停止爪部材２３６の上面には、板バネ２４１が前後のバネ取付柱２３９ａ，２３９ｂに架橋する形で載置され、その上に第１のスライダー２１ａ用の取付カバー２４０が被装されている。【００７８】
また、第１のスライダー２１ａに配した連結体２０４の係止凹部２２５を、第２のスライダー２１ｂの係止凸部２４７に嵌め込み、係止部２２４を係止凸部２４７とピン支持部２４８との間に支持して第１のスライダー２１ａと第２のスライダー２１ｂとを、柱部２５ａ，２５ｂが向かい合うようにして連結する。これにより、第１のスライダー２１ａと第２のスライダー２１ｂとが必要以上に離れることがないように位置決めされる。【００７９】
更に、連結体２０４の挿通孔２２２にカバー体２０３の紐類取付柱２１０を挿入して、この紐類取付柱２１０を第１のスライダー２１ａと第２のスライダー２１ｂとの間に形成された間隙２５５内に配置する。この状態で、連結体２０４の一端に設けたピン挿通部２２０のピン孔２２１と、カバー体２０３の左右側壁２１２の前壁２１３側に設けたピン孔２０８とを合わせてピン２０６を差込むことにより、連結体２０４の一端をカバー体２０３に揺動可能に軸支する。これにより、連結体２０４により連結された第１及び第２のスライダー２１ａ、２１ｂがカバー体２０３によって被覆される。【００８０】
そして、第２のスライダー２１ｂのピン支持部２４８のピン孔２４９と、カバー体２０３の左右側壁２１２の後壁２１４側に設けたピン孔２０８とを合わせてピン２０６を差込むことにより、カバー体２０３を第２のスライダー２１ｂに支持して紐端固着部位変更具１０が組み立てられる（図１７を参照）。これにより、一方のスライダー２１ａをエレメント列ＥＲに沿って摺動させることにより、他方のスライダー２１ｂも一緒に摺動させることができる。【００８１】
このとき、第１及び第２のスライダー２１ａ、２１ｂは、柱部２５ａ，２５ｂが対向するように互いに向かい合い、その前端側（肩口側）が突合わされるように配されている。これにより、第１及び第２のスライダー２１ａ、２１ｂを挿通したエレメント列ＥＲは、図１５に示すように、第１のスライダー２１ａと第２のスライダー２１ｂとの間の間隙２５５で分離しているが、一方のスライダーにより分離されたエレメント列ＥＲは、他方のスライダーにより必ず噛合させることができる。【００８２】
即ち、第１及び第２のスライダー２１ａ、２１ｂを挿通したエレメント列ＥＲは、一方のスライダー２１ａの後端から噛合した状態でそのエレメント案内通路２４ａ内へ入り込み、エレメント案内通路２４ａを通過する際に柱部２５ａによって分離され、その分離した状態で同スライダー２１ａの前端から間隙２５５へ排出される。その後、分離した状態のエレメント列ＥＲは、他方のスライダー２１ｂの前端からエレメント案内通路２４ｂ内へ入り込み、エレメント案内通路２４ｂを通過する際に噛合され、その噛合した状態で同スライダー２１ｂの後端から排出される。【００８３】
また、第１及び第２のスライダー２１ａ、２１ｂは、所定距離だけ離間した状態に配置され、第１及び第２のスライダー２１ａ、２１ｂの間には間隙２５５が形成されている。この間隙２５５にカバー体２０３に設けた紐類取付柱２１０が挿入されている。この間隙２５５においては、前述のようにエレメント列ＥＲが分離した状態となっており、第１及び第２のスライダー２１ａ、２１ｂの柱部２５ａ，２５ｂと、エレメント列ＥＲとによって囲まれた空間が形成されている。この空間に紐類取付柱２１０が挿入されており、その紐類取付柱２１０の先端が、第１及び第２のスライダー２１ａ、２１ｂの下板部２３ａ，２３ｂよりも下方に延設され、テープＴの裏面側に突出している。更に、この紐類取付柱２１０の先端部に設けた紐類挿通孔２１６には、紐類３が挿通されて固定される。【００８４】
このような本実施例４の紐端固着部位変更具１０は、カバー体２０３を手で摘んで付勢することにより、連結体２０４の中間杆２２３が、第１のスライダー２１ａに設けたカム面２４２に沿って持ち上げられて連結体２０４がピン２０６を中心にして上方へ揺動する。これにより、停止爪部材２３６が持ち上げられ、停止爪部材２３６の上方に配した板バネ２４１を弾性変形させるとともに、停止爪部材２３６の先端停止爪２３７をエレメント係止窓２３８から抜脱して、先端停止爪２３７とエレメント列ＥＲとの係合を自動的に解除することができる。【００８５】
一方、図１８は、連結体２０４の変形例を示している。この変形例における連結体２０４は、第１のスライダー２１ａの停止爪部材２３６の下面に挿通される中間杆２２３が一端に設けられ、ピン孔２２１を穿設したピン挿通部２２０が他端に設けられている。このピン挿通部２２０のピン孔２２１とカバー体２０３の前壁２１３側のピン孔２０８との位置を合わせてピン２０６を差し込むことにより、連結体２０４がカバー体２０３に揺動可能に軸支される。【００８６】
このような連結体２０４の変形例では、カバー体２０３を手で摘んで付勢することにより、連結体２０４はピン２０６を中心に揺動し、中間杆２２３がカム面２４２を滑動して停止爪部材２３６を持ち上げる。これにより、停止爪部材２３６の上方に配した板バネ２４１を弾性変形させるとともに、停止爪部材２３６の先端停止爪２３７をエレメント係止窓２３８から抜脱して、先端停止爪２３７とエレメント列ＥＲとの係合を自動的に解除することができる。このため、第１及び第２のスライダー２１ａ、２１ｂを前後に円滑に摺動させることができる。
【実施例５】
【００８７】
図１９〜図２１は、本発明の実施例５に係る物品の紐端固着部位変更具を示している。図１９は、本実施例５に係る紐端固着部位変更具の側面断面図であり、図２０は、同紐端固着部位変更具の平面断面図であり、図２１は、同紐端固着部位変更具の作動を示す側面断面図である。【００８８】
本実施例５における連結部材２７は、第１及び第２のスライダー２１ａ、２１ｂを上方から被覆するカバー体２０３と、第１のスライダー２１ａと前記第２のスライダー２１ｂとを連結する連結体２０４と、カバー体２０３に連結体２０４を取り付けるピン２０６とからなる。【００８９】
前記カバー体２０３は、上壁２１１と、左右の側壁２１２と、第１のスライダー２１ａ側の前壁２１３と、第２のスライダー２１ｂ側の後壁２１４と、上壁２１１の内面の中央から下方へ垂設した円形断面の紐類取付柱２１０とを備えている。このカバー体２０３には、上壁２１１と、左右の側壁２１２と、前壁２１３と、後壁２１４とにより囲まれた収容部２１５が形成されている。また、左右の側壁２１２には、ピン２０６を差し込み可能なピン孔２０８が、前壁２１３側と後壁２１４側に形成されている。更に、紐類取付柱２１０の下端部寄りには、紐類３を挿通させて固定するための紐類挿通孔２１６が設けられている。【００９０】
前記連結体２０４は、細長い板状の本体部２２６と、ピン孔２２１を穿設したピン挿通部２２０とを有している。連結体２０４の本体部２２６には、カバー体２０３の紐類取付柱２１０に対応する位置に、紐類取付柱２１０を挿入可能な円形の挿通孔２３１が穿設されている。また、この挿通孔２３１とピン挿通部２２０との間には、第１のスライダー２１ａの前端側及び後端側のバネ取付柱２３９ａ，２３９ｂと爪付バネ２４５とが挿入可能な長方形の挿入孔２３２が設けられており、この挿入孔２３２には、連結体２０４の幅方向に中間杆２２３が架橋されている。【００９１】
更に、連結体２０４は、ピン挿通部２２０とは反対側の端部に二股状に分かれた一対の腕部２５３を有し、この一対の腕部２５３の間には第２のスライダー２１ｂの取付柱２６ｂが挿入できる間隔が形成されている。また、各腕部２５３の先端には、ピン２０６が挿通できるピン挿通部２２０が形成されている。従って、連結体２０４は、ピン挿通部２２０のピン孔２２１とカバー体２０３のピン孔２０８との位置を２箇所で合わせてピン２０６を差し込むことにより、カバー体２０３に支持される。【００９２】
本実施例５の第１のスライダー２１ａでは、爪付バネ２４５を取り付けることができるバネ取付柱２３９ａ，２３９ｂが、上板部２２ａの上面の前端側と後端側とに間隔をあけて立設されており、前端側のバネ取付柱２３９ａと後端側のバネ取付柱２３９ｂとの間には、斜面状のカム面２４２が形成されている。また、バネ取付柱２３９ａ，２３９ｂは、左右一対の壁部２５４を有し、この壁部２５４間に爪付バネ２４５が収容される。なお、左右の壁部２５４には、その上端から内側に向けて延設した上壁がそれぞれ形成されている。【００９３】
爪付バネ２４５は、上片２５１と下片２５２とを備え、下片２５２の先端が下方へ屈曲して先端停止爪２３７を形成している。また、爪付バネ２４５の上片２５１は、バネ取付柱２３９ａ，２３９ｂの左右壁部２５４と上壁とにより固定されている。爪付バネ２４５の下片２５２の下側には、連結体２０４に設けた中間杆２２３が挿入されている。【００９４】
前記第２のスライダー２１ｂは、上板部２２ｂの上面に、スライダー２１ａ，２１ｂの摺動方向に長く延びる門型状に起立する連結部材取付柱２６ｂを有している。この取付柱２６ｂと上板部２２ｂとの間には、カバー体２０３のピン孔と連結体２０４の腕部２５３に形成したピン挿通部２２０に支持されたピン２０６が挿通される。なお、上記以外の第１及び第２のスライダー２１ａ、２１ｂの構成は、前記実施例４と基本的に同じである。【００９５】
本実施例５の紐端固着部位変更具１０は、前記各部材が以下のようにして組み立てられている。具体的に説明すると、前記第１のスライダー２１ａの上板部２２ａの上面に連結体２０４の中間杆２２３が配され、連結体２０４の挿入孔２３２に第１のスライダー２１ａのバネ取付柱２３９ａ，２３９ｂが遊嵌される。この中間杆２２３の上に爪付バネ２４５が跨ぐように載置され、爪付バネ２４５の上片２５１がバネ取付柱２３９ａ，２３９ｂに固定される。【００９６】
更に、連結体２０４に設けた円形の挿通孔２３１にカバー体２０３の紐類取付柱２１０を挿入して、カバー体２０３の収容部２１５に第１及び第２のスライダー２１ａ、２１ｂを収容する。そして、カバー体２０３の左右側壁２１２に設けた２箇所のピン孔２０８と、連結体２０４の一端に設けた筒状のピン挿通部２２０のピン孔２２１及び他端に設けた一対の腕部２５３のピン挿通部２２０とを位置合せしてピン２０６を挿通することにより、連結体２０４をカバー体２０３に支持する。これにより、第１及び第２のスライダー２１ａ、２１ｂが、カバー体２０３と連結体２０４とにより連結され、本実施例５の紐端固着部位変更具１０が構成される。このとき、第１のスライダー２１ａと第２のスライダー２１ｂとの間の間隙２５５には紐類取付柱２１０が配され、この紐類取付柱２１０の先端は、第１及び第２のスライダー２１ａ、２１ｂの下板部２３ａ，２３ｂよりも下方に突出し、その先端に設けた紐類挿通孔２１６に紐類３が挿通されて固定される。【００９７】
このような本実施例５の紐端固着部位変更具１０は、カバー体２０３を手で摘んで付勢することにより、連結体２０４の中間杆２２３が、第１のスライダー２１ａに設けたカム面２４２に沿って持ち上げられて、カバー体２０３及び連結体２０４が上方に移動する。これにより、爪付バネ２４５の下片２５２が中間杆２２３によって持ち上げられ、下片２５２を弾性変形させるとともに、下片２５２の先端に設けた先端停止爪２３７をエレメント係止窓２３８から抜脱して、先端停止爪２３７とエレメント列ＥＲとの係合を自動的に解除することができる。
【実施例６】
【００９８】
図２２は、本発明の実施例６に係る物品の紐端固着部位変更具を示している。図２２は、本実施例６に係る紐端固着部位変更具の平面断面図である。【００９９】
本実施例６に係る紐端固着部位変更具１０は、前記実施例５と同一タイプの第１のスライダー２１ａを用いている。また、第２のスライダー２１ｂは、前記実施例５とは異なり、上板部２２ｂの上面中央にピン２０６を挿通可能なピン支持部２４８が突設されている。【０１００】
本実施例６の紐端固着部位変更具１０は、連結体を用いずに、第１のスライダー２１ａと第２のスライダー２１ｂとをピン２０６によってカバー体２０３に直接支持して連結している。第１のスライダー２１ａでは、爪付バネ２４５の下方にピン２０６が配され、このピン２０６がカバー体２０３の左右側壁２１２に設けたピン孔２０８に挿通されている。これにより、カバー体２０３を上方へ移動させると、爪付バネ２４５がピン２０６によって押し上げられて弾性変形し、この爪付バネ２４５に設けた先端停止爪２３７をエレメント係止窓２３８から抜脱して、先端停止爪２３７とエレメント列ＥＲとの係合を解除することができる。
【実施例７】
【０１０１】
図２３及び図２４は、本発明の実施例７に係る物品の紐端固着部位変更具を示している。図２３は、本実施例７に係る紐端固着部位変更具の分解側面断面図であり、図２４は、同紐端固着部位変更具の正面断面図である。【０１０２】
本実施例７に係る紐端固着部位変更具１０は、前記各実施例とは異なり、第１のスライダー２１ａにも第２のスライダー２１ｂにも自動停止爪部材が設けられてなく、第１及び第２のスライダー２１ａ、２１ｂは同じ構成を有している。これら第１及び第２のスライダー２１ａ、２１ｂは、上板部２２ａ，２２ｂの上面中央に、連結体２０４を直接固定できる前後の取付柱部２６０ａ，２６０ｂを有している。【０１０３】
また、本実施例７では、第１のスライダー２１ａと第２のスライダー２１ｂとを連結する連結部材として、カバー体２０３と連結体２０４とを備えている。前記連結体２０４は、細長い板状の本体部２２６と、同本体部２２６に装着される紐類取付部２３４とを有し、本体部２２６の両端には取付杆２３３が架橋されている。これらの取付杆２３３は、一方が第１のスライダー２１ａの取付柱部２６０ａによって固定され、他方が第２のスライダー２１ｂの取付柱部２６０ｂによって固定される。【０１０４】
また、本体部２２６の中央には適宜形状の挿通孔２３１が形成されており、この挿通孔２３１に紐類取付部２３４が装着される。紐類取付部２３４は、先に説明した実施例４，５，６とは異なり、カバー体２０３とは別体に形成されており、その下端部に、紐類３を固定するための一対の固定脚部２５６と固定突起２５７が設けられている。また、紐類取付部２３４の上端には、本体部２２６の挿通孔２３１よりも大径な膨大頭部２５０が形成されている。【０１０５】
前記カバー体２０３は、長方体状で、上壁２１１と左右の側壁２１２とを有し、前後に壁がなく全体の断面が逆Ｕ字状を呈する。従って、カバー体２０３は、上壁２１１と左右の側壁２１２とを周壁とした内側の空間を収容部２１５とし、この収容部２１５に第１及び第２のスライダー２１ａ、２１ｂ、連結体２０４、及び、紐類取付部２３４の膨大頭部２５０を収容することができる。【０１０６】
カバー体２０３において、左右の側壁２１２の中央には、上下に間隔を空けて突出する隆起部２１８が設けられ、この隆起部２１８の間に連結体２０４の厚さに相当する凹溝２１７が形成されている。また、隆起部２１８の下側には側壁２１２の下端へ向けて下り勾配の斜面２１９が形成されている。このようなカバー体２０３は、下側の隆起部２１８を連結体２０４の本体部２２６に向けて押圧することにより、左右の側壁２１２は離間する方向に弾性変形するため、本体部２２６は斜面２１９に沿って移動し、下側の隆起部２１８を乗り越えて凹溝２１７に嵌入する。この後、左右の側壁２１２は元の形状に弾性的に復帰し、本体部２２６を安定して係止することができる。なお、本発明では、凹溝２１７は、カバー体２０３の側壁２１２の全長に渡って設けておき、カバー体２０３の両端側から連結体２０４の本体部２２６を嵌入させても良い。【０１０７】
本実施例７の紐端固着部位変更具１０は、以下のようにして組み立てられている。具体的に説明すると、紐類取付部２３４を本体部２２６に装着した連結体２０４の両端の取付杆２３３を、第１及び第２のスライダー２１ａ、２１ｂの取付柱部２６０ａ，２６０ｂに挿入した後、第１及び第２のスライダー２１ａ、２１ｂの取付柱部２６０ａ，２６０ｂをそれぞれかしめて、第１のスライダー２１ａと第２のスライダー２１ｂとが連結される。【０１０８】
更に、紐類取付部２３４の下端部に設けた一対の固定脚部２５６に紐類３の先端を挟み込み、固定脚部２５６をかしめることにより、固定脚部２５６の先端に設けた固定突起２５７を紐類３に食い込ませて紐類３が紐類取付部２３４に固定される。このとき、紐類３を下方に引っ張ることにより、紐類取付部２３４を本体部２２６の挿通孔２３１に確実に嵌入させることができる。最後に、連結体２０４の本体部２２６を、連結体２０４の凹溝２１７に嵌入することにより、本実施例７の紐端固着部位変更具１０が得られる。
【実施例８】
【０１０９】
図２５は、本発明の実施例８に係る物品の紐端固着部位変更具を示している。
本実施例８に係る紐端固着部位変更具１０は、第１及び第２のスライダー２１ａ、２１ｂを被装するカバー体２０３の外表面に、紐類３を取り付ける紐類取付部２５８が設けられている。このような本実施例８の紐端固着部位変更具１０は、紐類３を紐端固着部位変更具１０の表面側に配する必要がある場合に有効である。【０１１０】
次に、本発明に係る物品の紐端固着部位変更具の使用例について、図面を参照しながら具体的に説明する。なお、以下の説明は、本発明の紐端固着部位変更具の使用形態の一例であり、本発明はこれに限定されるものではない。【０１１１】
先ず、前記実施例１に係る物品の紐端固着部位変更具１０をスポーツシャツ類１００に取り付けたときの具体例を、図１〜図５、図２６及び図２７に基づいて説明する。これらの図に示すように、スポーツシャツ類１００の胸元に形成された上下に直線状に延びる切開部に沿って縫製等により前記紐端固着部位変更具１０を取り付ける。このときの取付け方は前記紐端固着部位変更具１０の一対のエレメント付きテープＴを前記切開部（開口）に沿って縫着することにより取り付けられ、紐端固着部位変更具の裏面側に裏布を一緒に縫着させてもよいし、紐類３をシャツ１００の表布と裏布との間に介装するようにしてもよい。この裏布はシャツ１００の全体に配する必要はない。また、紐類３に沿ってトンネル状に配する場合には、紐類３の案内通路として機能する。【０１１２】
一方、前記紐端固着部位変更具１０の第２スライダー２１ｂの下板部２３ｂに設けられた上記紐類取付部２８に紐類３の一端部３１を結び付け、その紐類３をシャツ１００の肩部１０４を越えて背中１０５へと回し、そのまま下方へと延設して他端部３２を同シャツ１００の裾部１０６の中央に固着している。図示例にあっては、前記スライダー２を上端まで引き上げると、図２６に示すようなシャツ１００の裾部１０６が手繰り上げられていない通常の形状をとる。また、前記スライダー２を下方へと摺動操作すると、図２７に示すようなシャツ１００の裾部１０６は紐類３の他端部３２により手繰り上げられた形状をとる。【０１１３】
いま、シャツ１００の裾の紐端固着部位を変更する前記実施例１に係る紐端固着部位変更具１０によってシャツ１００の裾部１０６を手繰り上げようとするときは、前記シャツ１００の胸元から表面に突出するスライダー２の連結部材２７に取り付けられた引きテープ３５を摘み、下方へと引き下げる。この引き下げ操作により上記停止爪部材２９がエレメントＥ間との係合が自動的に解除されて、第１及び第２スライダー２１ａ，２１ｂは一緒にエレメント列ＥＲ上を下方へと摺動し、その摺動距離だけ第２スライダー２１ｂに取り付けられた紐類３も引き下げられる。その結果、同紐類３の裾部取付端である他端部３２も前記スライダー２の移動寸方だけ上方に引き上げられることになり、図２７に示すように、同時にシャツ１００の裾部１０６が上方に手繰り上げられる。ここで、前記引きテープ３５から手を離すと、停止爪部材２９は上記圧縮スプリング４の付勢により、その先端停止爪２９ｃ−１をスライダー停止位置にある２つのエレメントＥ間の間隙に進入して係合し、スライダー２のそれ以上の動きを不動にする。【０１１４】
前記実施例１の紐端固着部位変更具１０において、第１及び第２スライダー２１ａ，２１ｂが各柱部２５ａ，２５ｂを対向させて、連結部材２７の連結部２７ｂにより常に一緒に動くようにしてある。このため、スライダー２の摺動操作においては、第１及び第２スライダー２１ａ，２１ｂの対向部の間に紐端固着部位変更具１０を貫通する僅かな間隙が生じるだけで、一対のスライダー２１ａ，２１ｂの前後側のエレメント列ＥＲは常に噛合して閉じた状態となる。従って、スライダー２をエレメント列ＥＲの任意の位置に移動させてたとしても、紐端固着部位変更具１０の第１及び第２スライダー２１ａ，２１ｂの対向間隙を除いて全てが閉じているため、外部からの塵芥や水分などが不用意に侵入しない。【０１１５】
このように、実施例１に係る物品の紐端固着部位変更具１０によれば、同紐端固着部位変更具１０における物品の紐端固着部位を、紐端固着部位の変更操作しようとする部位に配するとともに紐端固着部位変更具１０の操作部２０を操作し易い位置に配して、同紐端固着部位変更具１０を操作する。これにより、同紐端固着部位変更具１０の配設位置から遠い紐端固着部位を、紐端固着部位変更具１０に一端部３１を取り付けた紐類３を介して任意の位置へと移動変更させることができるばかりでなく、その変更後の紐端固着部位の位置を維持することができる。【０１１６】
また、前記実施例１による物品の紐端固着部位変更具１０にあっては、連結部材２７のスライダー摺動方向における長さを適宜設定すれば、対向する第１及び第２スライダー２１ａ，２１ｂの間に適当な大きさの間隙を形成することができる。この間隙を利用すれば、万一にも紐類３が紐類取付部２８から外れるようなことがあっても、前記間隙から指を差し込み、外れた紐類端部を摘み上げて、紐類取付部２８に取り付けることが可能である。更に、連結部材２７を第１及び第２スライダー２１ａ，２１ｂから取り外すことができる場合は、第１スライダー２１ａと第２スライダー２１ｂとを離間させることにより、紐類３の一端部を容易に紐類取付部２８に取り付けることが可能となる。【０１１７】
また、図２８及び図２９に示すように、ブラウス１１０などの左右前身頃の腹部に横一線状に形成された開口に沿って前記実施例１の紐端固着部位変更具１０における一対のエレメント付きテープＴが縫製により取り付けられる。このとき、紐類３の一端部３１は左右に配された紐端固着部位変更具１０の各スライダー２の下板部２３ｂの下面にそれぞれ設けた紐類取付部２８に結び付けられ、その各他端部３２はブラウス１１０の左右腋下の下方腹部裏面にそれぞれ固定される。その紐類３の紐端固着部位までの長さは、左右に配されるスライダー２が前記開口を最も腋下部の下方に近づいたときの各スライダー２と腋下部下方の紐類３の他端部取付位置との間の寸法に略等しいか、それよりも僅かに長く設定される。また、ブラウス１１０の前記紐端固着部位変更具１０と紐類３とが配される部分にはトンネル状の図示せぬ裏布が縫着されており、同裏布と表布との間のトンネル状案内空間に、前記紐類３が挿通されている。【０１１８】
このようにして紐端固着部位変更具１０と紐類３とが取り付けられたブラウス１１０は、図２８に示すように左右に配された紐端固着部位変更具１０のスライダー２を紐類３の他端部３２の取付位置に向けて摺動させたときが腹部が最も拡げられた状態にあり、各スライダー２を左右前身頃の袷せ部側に最も近づけたときには、図２９に示すように腹部回りが最も狭められる。このスライダー２の摺動位置により紐端固着部位の位置が変更されてブラウスの腹部回りの絞り具合が変化し、同スライダー２の停止位置にて上記停止爪機構が作動して、スライダー２の摺動を不能にする。この第２の使用例によっても、スライダー２の摺動に関わらず、同スライダー２の摺動方向の前後に配されるエレメント列ＥＲは噛合した閉じた状態にある。【０１１９】
しかるに、本発明の物品の紐端固着部位変更具１０にあっては、スライダーの摺動操作によって、通常のスライドファスナーと同様に、同紐端固着部位変更具１０の取付位置が開閉することが要求される場合もある。例えば、野営テントなどの窓部を巻き上げて開き、その状態を維持させるとき、本発明の紐端固着部位変更具１０を好適に適用することが可能である。この窓部を開閉するとき、同時に紐端固着部位変更具１０の取付位置も開閉できればテント内の空気の流通が良好となり衛生面から好ましい。【０１２０】
図３０〜図３３は、前記実施例３に係る物品の紐端固着部位変更具１０を野営テント１２０に適用したときの使用例を示している。同紐端固着部位変更具１０は、テント本体１２１の窓部１２２から離れた位置に配され、例えば出入口１２３の周辺に取り付けられる。そのため、出入口１２３の周辺の一部に直線状の開口１２４を形成する。この開口１２４に沿って左右のエレメント付きテープＴを縫製又は溶着により取り付ける。このときのテープ１は熱可塑性合成樹脂がコーティングされた繊維テープ又は熱可塑性合成樹脂テープからなる防水性テープであることが好ましい。図示例によれば、紐端固着部位変更具１０をテント本体１２１の上下に長い矩形状の出入口１２３に隣接して、上下方向に延在するように取り付けられており、前記紐端固着部位変更具１０の第１スライダー２１ａと第２スライダー２１ｂとをエレメント付きテープＴのエレメント列ＥＲに挿通している。【０１２１】
第２スライダー２１ｂの下板部１６３に設けられた紐類取付部１６６に一端部３１が結び付けられた紐類３は、テント本体１２１の裏面に沿って上方に延び、天井部の方向転換部にて方向が転換されて前記窓部１２２の上方まで延びる。更に、紐類３は、窓部１２２の上方の分岐部３ａにて左右に分岐され、その分岐紐類３ｂ，３ｃは図３２及び図３３に拡大して示すように、窓部１２２の上縁部に沿って案内されたのち窓部１２２の上縁部に上端縁が位置決め固定された窓開閉シート１２５の左右側縁部に沿って内外に交互に挿通案内されて、同窓開閉シート１２５の左右下端縁に、その他端部３２ａ，３２ｂが取付固定される。【０１２２】
前記紐端固着部位変更具１０によれば、第１スライダー２１ａの停止爪部材２９と圧縮スプリング４とによって、既述したとおりスライダー２の停止時には同停止爪部材２９の前記先端停止爪２９ｃ−１を前記エレメント係止窓２２ａ−１を通してエレメント案内通路２４ａ内に突出するように付勢している。またスライダー２の摺動時に、連結部材２７を引き上げるようにして摘み上げて引っ張ると、その摘み上げ力により上記連結部材２７の連結部２７ａが圧縮スプリング４の付勢に抗して上方に持ち上げられ、前記停止爪部材２９の基端部２９ａを中心に上方へと回動する。これにより、前記先端停止爪２９ｃ−１をエレメント案内通路２４ａから上方へと抜脱して、エレメント列ＥＲのエレメントＥ間の間隙に侵入して係合している先端停止爪２９ｃ−１の係合を自動的に解除することができる。【０１２３】
また、例えば何らかの理由で紐類３の結び目が解けて前記紐類取付部１６６から外れてしまったときは、第２スライダー２１ｂの上記突起１６７ａを押すことにより、摺動片１６７を棒状バネ１６８の付勢に抗して前記摺動溝及び摺動片挿入孔１６２ａの内部で柱部１６４の方向へと摺動させて、連結部材２７の第２棒状連結片１８４を抜き取る。第２棒状連結片１８４を抜き取ることにより、第２スライダー２１ｂはエレメント列ＥＲに沿って自由に摺動できるようになり、第１スライダー２１ａとの間にエレメントＥ同士が係合していない任意の開口部分が形成される。この開口部分から指を差し込み、外れた紐類３の一端を摘み上げて、第２スライダー２１ｂの紐類取付部１６６に固く結び付ける。その後、再び摺動片１６７の突起１６７ａを押して柱部１６４の方向へと付勢に抗して摺動させて、前記突起１６７ａと前記連結部材取付柱１６５の延設側端部との間に形成される間隙から連結部材２７の第２棒状連結片１８４を差し入れる。次いで、突起１６７ａの押圧を解除すれば、摺動片１６７は圧縮スプリング１６８の付勢により自動的に元の位置に戻り、第２棒状連結片１８４を前記連結部材取付柱１６５から外れないようになる。【０１２４】
更にこの使用例では、前記実施例３による紐端固着部位変更具１０を使っているため、その連結部材２７が第１及び第２スライダー２１ａ，２１ｂの全てを被覆するようにして両スライダー２１ａ，２１ｂを連結する。このため、例えば同連結部材２７の本体１６１の周辺を防水構造にすれば、特に雨などが降っても両スライダー２１ａ，２１ｂ間の間隙から雨が侵入することが防げて、テント１２０の内部が無闇に濡れてしまうことがなくなる。【０１２５】
以上の構成にあって、窓部１２２を窓開閉シート１２５によって閉めているときは、図３０に示すように、前記スライダー２を紐端固着部位変更具１０が取り付けられた上記開口１２４の上端まで摺動されている。このとき左右のファスナーストリンガーＴ１の各エレメント列ＥＲは噛合状態にあり、前記開口１２４も閉じている。ここで、スライダー２を前記開口１２４の下端方向に摺動させると、同第２スライダー２１ｂの紐類取付部１６６に一端部が取り付けられた紐類３は、その一端部３１が下方に引き下げられる。従って、テント本体１２１の天井部の方向転換部を経て左右の分岐紐類３ｂ，３ｃの各他端部３２ａ，３２ｂが引き上げられ、窓開閉シート１２５の下端から順次上端側へと手繰り上げられて、図３１に示すように窓部１２２を開く。勿論、この使用例による第１スライダー２１ａにも図示せぬ停止爪機構が設けられている。そのため、スライダー２の摺動操作を途中で止めて、例えば窓部１２２の開き具合を半分にしたのち、スライダー２０１の引手部材２７から指を離しても、スライダー２は動かず、窓部１２２の開き程度も変化することがない。【０１２６】
図３４及び図３５は、上記実施例１の構成を備えた紐端固着部位変更部材１０を使って、上着類１３０の袖口回りの紐端固着部位を紐端固着部位の変更する場合の一例を示している。同図によれば、上着類１３０の肩部１３２から袖部１３１の途中まで、前記紐端固着部位変更部材１０が直線状に取り付けられている。一方、一端部３１がスライダー２の第２スライダー２１ｂの裏面に固着された紐類３は、袖部１３１の裏側に沿って袖口方向に導かれる。更に、紐類３は、袖口部１３３の絞りたい部位の周りを一回周回するように巻き回されて案内され、その他端部３２が終端に固着される。かかる構成により、スライダー２がその紐端固着部位変更部材取付位置の最も下端まで降ろされているときは、図３４に示すように袖口部１３３は通常の形状を維持する。一方、前記スライダー２を最も上位の位置まで引き上げると、その引き上げにより紐類３も上方に引き上げされる。これにより、袖口部１３３の絞りたい部位に配されている紐類３の周回径が漸次小さくなり、最終的には図３５に示すように袖口部１３３が絞り込まれる。【０１２７】
なお、上記の使用例では、本発明の実施例１又は実施例３に係る物品の紐端固着部位変更具１０を使用する場合について説明している。しかし、本発明はこれに限定されず、その他の実施例に係る物品の紐端固着部位変更具、又はそれ以外の本発明に係る物品の紐端固着部位変更具を使用することも可能である。【０１２８】
以上、述べたとおり本発明に係る物品の紐端固着部位変更具１０によれば、従来のスライドファスナーに僅かな改良を加えるだけの簡単な構成をもって、物品の紐端固着部位の位置を容易に変更することができ、同時に停止爪部材が配されている場合は、その調整した紐端固着部位の位置を自動的に維持することができる。更に、紐端固着部位の変更操作を行う部位を操作のしやすい位置に配すると同時に物品の紐端固着部位が紐端固着部位の変更操作を行う部位と離間していても、紐端固着部位の変更が容易に且つ確実に行える。また、仮に紐類が、その紐類取付部から外れたとしても容易に付け直しができる。なお、上記実施例では、紐類３の一端部３１を第２スライダー２１ｂの下板部２３ｂの紐類取付部２８やカバー体２０３の紐類取付柱２１０等に結び付けて固定しているが、その一端部３１を溶着により、或いは縫着により固定することもできる。更に上記各スライダーや停止爪機構についても、上記実施例に限定されず、設計上の多様な変更が可能である。
【産業上の利用可能性】
【０１２９】
本発明に係る物品の紐端固着部位変更具は、物品を引き締めて大きさを調節する必要がある物品、例えば衣服、帽子、手袋、鞄、野営テントなどの大きさ、長さなどを調節する場合に有効に使用することができる。
【図１】
0004610615.tif 000002
【図２】
0004610615.tif 000003
【図３】
0004610615.tif 000004
【図４】
0004610615.tif 000005
【図５】
0004610615.tif 000006
【図６】
0004610615.tif 000007
【図７】
0004610615.tif 000008
【図８】
0004610615.tif 000009
【図９】
0004610615.tif 000010
【図１０】
0004610615.tif 000011
【図１１】
0004610615.tif 000012
【図１２】
0004610615.tif 000013
【図１３】
0004610615.tif 000014
【図１４】
0004610615.tif 000015
【図１５】
0004610615.tif 000016
【図１６】
0004610615.tif 000017
【図１７】
0004610615.tif 000018
【図１８】
0004610615.tif 000019
【図１９】
0004610615.tif 000020
【図２０】
0004610615.tif 000021
【図２１】
0004610615.tif 000022
【図２２】
0004610615.tif 000023
【図２３】
0004610615.tif 000024
【図２４】
0004610615.tif 000025
【図２５】
0004610615.tif 000026
【図２６】
0004610615.tif 000027
【図２７】
0004610615.tif 000028
【図２８】
0004610615.tif 000029
【図２９】
0004610615.tif 000030
【図３０】
0004610615.tif 000031
【図３１】
0004610615.tif 000032
【図３２】
0004610615.tif 000033
【図３３】
0004610615.tif 000034
【図３４】
0004610615.tif 000035
【図３５】
0004610615.tif 000036